(57)【要約】【課題】  確実に施錠し忘れが防止できて高い防犯効果が得られる施錠忘れ防止システムを提供する。【解決手段】  窓の開口部１をスライド自在に開閉する扉窓２に用いられる施錠忘れ防止システムであって、前記扉窓２が開放されたことを検知すると共に、該検知時に警報を発生させるべく警報発生装置に信号を送信する検知手段３と、前記扉窓２、または、前記窓の開口部１を形成する開口形成部材４の少なくとも一方に取り付けられ、前記扉窓２を開放される方向に付勢する付勢手段５とを備えてなることを解決手段とする。【選択図】  図１
2005282073.tif 000002
【特許請求の範囲】
【請求項１】
開口部（１）をスライド自在に開閉する扉窓（２）に用いられる施錠忘れ防止システムであって、前記扉窓（２）が開放されたことを検知すると共に、該検知時に警報を発生させるべく警報発生装置に信号を送信する検知手段（３）と、前記扉窓（２）、または、前記開口部（１）を形成する開口形成部材（４）の少なくとも一方に取り付けられ、前記扉窓（２）を開放する方向に付勢する付勢手段（５）とを備えてなることを特徴とする施錠忘れ防止システム。
【請求項２】
前記検知手段（３）が電気的に動作するものであり、前記付勢手段（５）は、前記扉窓（２）または開口形成部材（４）の一方に取り付けられたソレノイド電磁石（５ａ）と、他方に取り付けられた永久磁石（５ｂ）とを備え、前記ソレノイド電磁石（５ａ）は、前記検知手段（３）と連動してオン・オフされるべく構成され、電源オン時に前記永久磁石（５ｂ）と反発するように磁極を発生する請求項１に記載の施錠忘れ防止システム。
【発明の詳細な説明】
【技術分野】
【０００１】
本発明は、施錠忘れ防止システムに関し、詳しくは、引き扉や引き窓（スライド自在な扉窓）に用いられ、警報を発して施錠忘れの防止を図る施錠忘れ防止システムに関する。
【背景技術】
【０００２】
従来より、建屋に設けられた引き扉や引き窓には、窓の開口部が開放されたことを検知して警報音を発生させるべくブサー（警報発生装置）に信号を送信する、マグネットスイッチ式、赤外線式、振動感知式等の各種センサ（検知手段）が用いられている。
【０００３】
このセンサは、ブサーと同様に電気的に動作するものであり、人の出入りや換気等のため、扉窓が煩雑に開閉される日中は、ブザーと共に電源がオフにされて動作しない状態とされる一方、夕刻あるいは夜間には、防犯（セキュリティー確保）のため、両者の電源がオンとされると共に、さらに建屋への不審者の侵入を完全に防止すべく扉窓に施錠がされる。
【０００４】
ところが、かかる扉窓においては、扉窓が窓の開口部を閉塞している状態では、たとえセンサの電源をオンとしてもブザーから警報音が発せられることもなく、また、鍵部を直接目視で確認する以外に施錠の有無を確認する手段がなく、これにより、施錠し忘れが生じることがあり、建屋が一時的に不審者の侵入を受け、盗難等の被害が生じる懸念があった。
【発明の開示】
【発明が解決しようとする課題】
【０００５】
そこで、本発明は、上述した問題に鑑み、確実に施錠し忘れが防止できて高い防犯効果が得られる施錠忘れ防止システムを提供することを目的とする。
【課題を解決するための手段】
【０００６】
本発明に係る施錠忘れ防止システムは、開口部をスライド自在に開閉する扉窓に用いられる施錠忘れ防止システムであって、前記扉窓が開放されたことを検知すると共に、該検知時に警報を発生させるべく警報発生装置に信号を送信する検知手段と、前記扉窓、または、前記開口部を形成する開口形成部材の少なくとも一方に取り付けられ、前記扉窓を開放する方向に付勢する付勢手段とを備えてなることを特徴とする。
【０００７】
該施錠忘れ防止システムによれば、扉窓に施錠がされていない限り、付勢手段によって扉窓が自動的に開放され、該開放の事実が検出手段により検出され、警報音発生装置から警報が発せられるので、確実に施錠し忘れが防止できる。
【０００８】
前記検知手段が電気的に動作するものであり、前記付勢手段は、前記扉窓または開口形成部材の一方に取り付けられたソレノイド電磁石と、他方に取り付けられた永久磁石とを備え、前記ソレノイド電磁石は、前記検知手段と連動してオン・オフされるべく構成され、電源オン時に前記永久磁石と反発するように磁極を発生することが好ましい。
【０００９】
上記好ましい構成によれば、前記検知手段およびソレノイド磁石が、駆動手段によって連動してオン・オフされるので、例えば、施錠をする必要がない日中は、前記検知手段およびソレノイド電磁石の電源をオフとして、扉窓が開放されても警報が発せられない状態とし、防犯上施錠をする夕刻あるいは夜間には、前記検知手段およびソレノイド電磁石の電源をオンとして、施錠がされていない場合に扉窓が自動的に開放されて警報が発せられる状態にすることができる。これにより、必要時にのみ施錠忘れ防止システムを動作させることができる。
【発明の効果】
【００１０】
以上のように、本発明に係る施錠忘れ防止システムによれば、確実に施錠し忘れが防止できて高い防犯効果が得られる。
【発明を実施するための最良の形態】
【００１１】
以下、本発明に係る施錠忘れ防止システムの一実施形態について図面を参照しながら説明する。図１は、本実施形態の施錠忘れ防止システムが、窓の開口部１をスライド自在に開閉する引き窓（扉窓）２に用いられている状態を示す正面図である。該施錠忘れ防止システムは、前記引き窓２が開放されたことを検知するセンサ（検知手段）３と、前記引き窓２に取り付けられ、該引き窓２を前記開口部１を開放する方向に付勢するバネ（付勢手段）５とを備えている。前記センサ３は、引き窓２の開放を検知した時に警報音を発生させるべく図示しないブザー（警報発生装置）に信号を送信するように構成されている。
【００１２】
図１に示す引き窓２においては、左右一対の引き窓２ａ，２ｂが互い違いにスライド移動して窓の開口部１を開閉するいわゆる引き違い窓になっている。そして、開口部１の中央部に位置するように、各引き窓２ａ，２ｂに固設された一対の金具（クレセント本体６ａ、クレセント受け６ｂ）を係合させて施錠を行うクレセント錠（鍵部）６が設けられている。また、各引き窓２ａ，２ｂには、窓ガラス７，７が嵌め込まれている。
【００１３】
また、前記センサ３は、いわゆる誘導形近接スイッチであり、高周波発振回路に結合したコイルを検出素子とし、検出体が接近すると電磁誘導により誘導電流が流れ、コイルのインダクタンス等の変化によって、発振回路定数が変化し、発振振幅や発振周波数の変化を介してセンサ３が前記検出体に接近・離間した事実が検出される。そして、センサ３が検出体と離間したときに、ブザー（警報発生装置）に警報音を発生させるべく信号を送信し、センサ３が検出体と接近したときに、該信号を送信しない状態となる。
【００１４】
本実施形態の施錠忘れ防止システムにおいては、前記センサ３は、左側の引き窓２ａの左上隅部（左方の縦框の上端部）に装着されており、検出体８が、窓枠（開口形成部材）４の左上隅部に、引き窓２ａが開口部１を閉塞したとき（引き窓２ａの左方の縦框が窓枠４の左方枠部分に接触したとき）に前記センサ３に接近するべく装着されている。
【００１５】
また、本実施形態の施錠忘れ防止システムは、引き窓２ａの左下隅部にボルトにより固着されているバネ保持部材９に保持されたバネ（付勢部材）５を備えており、該バネ５が、引き窓２ａにより窓の開口部１が閉塞された時に、前記窓枠４の左下隅部にボルトにより固着された突出部１０に当接することで、前記引き窓２ａを常時開口部１を開放する方向に付勢し、解錠時に前記引き窓２ａを僅かに開放させる（開口部１の左端部に隙間を生じさせる）ように構成されている。
【００１６】
本実施形態の施錠忘れ防止システムは、次のように動作する。即ち、前記センサ３の電源を駆動部（図示せず）によってオンとした状態で、前記引き窓２ａを閉塞すると、センサ３が検出体８に接近した事実が検出され、該センサ３から前記ブザーに警報音を発生させる信号が送信されない状態となる。一方、引き窓２ａが開放されると、センサ３が検出体８から離間した事実が検出され、該センサ３から前記ブザーに信号が送信され、該信号を受けてブザーから警報音が発せられる。
【００１７】
また、バネ５によって引き窓２ａが常時開放される方向に付勢されているので、解錠をする（クレセント錠を外す）ことで引き窓２ａをスライド移動可能な状態とすると、前記バネ５の弾性力により引き窓２ａが僅かに開放し、この時、前記センサ３が検出体８から離間してブザーから警報音が発せられる。
【００１８】
さらに、解錠して右側の引き窓２ｂのみを開放した場合においても、前記バネ５の作用により引き窓２ａが窓の開口部１を僅かに開放するので、ブザーから警報音が発せられる。
【００１９】
以上説明したように、本実施の形態の施錠忘れ防止システムによれば、引き窓２ａ，２ｂに施錠がされていない限り、バネ５の作用によって各引き窓２ａ，２ｂが自動的に開放されて、該開放の事実がセンサ３に検知され、ブザーから警報音が発せられるので、各引き窓２ａ，２ｂに施錠がされていない事実を確実に知ることができる。この結果、確実に施錠し忘れが防止できて高い防犯効果が得られる。
【００２０】
また、本実施形態の施錠忘れ防止システムにおいては、左右一対の引き窓２ａ，２ｂを有する引き違い窓の片方の引き窓２ａにのみセンサ３が設けられていても、バネ５が該引き窓２ａを開放方向に付勢し、施錠がされていない限り、引き窓２ａが僅かに開放されるので、窓ガラス７を破って不正に解錠され、引き窓２ａ，２ｂのいずれかが開放された場合に、その事実が前記センサ３によって確実に検出される。このため、該センサ３を引き窓２ａ，２ｂの両側に設けることなく高い施錠忘れ防止効果が得られる。したがって、使用部品点数が少なくて済み、部品コストを安価に押さえることも可能となる。
【００２１】
また、本実施形態の施錠忘れ防止システムは、センサ３とバネ５を主要構成部品とするため、既設の引き窓２の框や窓枠４（または壁面）にも簡単に設置することができる。
【００２２】
尚、本発明の施錠忘れ防止システムは、上述した実施の形態に限定されず、本発明の技術的思想の範囲で種々の形態の実施が可能である。
【００２３】
例えば、上記実施形態の施錠忘れ防止システムでは、引き窓２側にバネ５を設けたが、引き窓２が開放される方向に付勢され、引き窓２の解錠時にセンサ３からブザーに警報音が発せさせる信号が送信される限り、窓枠４（または壁面）側に設けることも可能である。
【００２４】
また、付勢部材としてバネ５を用いたが、該付勢手段は、図２に示すように、前記引き窓２（２ａ）または窓枠４の一方に取り付けられたソレノイド電磁石５ａと、他方に取り付けられた永久磁石５ｂとを備えたものとすることも可能である。この場合、前記ソレノイド電磁石５ａを、駆動手段（図示せず）によってセンサ（検知手段）３と連動してオン・オフされるべく構成し、電源オン時に前記永久磁石５ｂと反発するように磁極を発生するようにする。
【００２５】
これによれば、前記ソレノイド電磁石５ａは、センサ３と連動してオン・オフされるので、施錠をする必要がない日中は、前記センサ３およびソレノイド電磁石５ａの電源をオフとして、引き窓２が開放されても警報が発せられない状態とし、防犯上施錠をする夕刻あるいは夜間には、前記センサ３およびソレノイド電磁石５ａの電源をオンとして、施錠がされていない場合に引き窓２が自動的に開放されて警報が発せられる状態にすることができる。これにより、必要時にのみ施錠忘れ防止システムを動作させることができる。
【００２６】
さらに、上記実施形態では、解錠状態の了知のため、警報発生装置（ブザー）から警報音が発せられるようにしたが、その代わりに、よく目立つように警報発生装置から赤色の光が発せられるようにしてもよいし、さらには、警報発生装置を設ける代わりに、センサ３から信号を管理室に設置された集中監視装置に送信し、該信号に基づいて集中監視装置によって引き窓２の開放状況が監視されるようにしてもよい。
【図面の簡単な説明】
【００２７】
【図１】本発明の一実施形態に係る施錠忘れ防止システムの使用状態図である。
【図２】本発明の別の実施形態に係る付勢部材の拡大図である。
【符号の説明】
【００２８】
１…窓の開口部、２、２ａ、２ｂ…引き窓（扉窓）、３…センサ（検知手段）、４…窓枠（開口形成部材）、５…バネ（付勢手段）
【図１】
2005282073.tif 000003
【図２】
2005282073.tif 000004